(57)【要約】【課題】昇降テープの変形を防止しつつ均等に巻取面に巻取ることが可能な昇降テープ巻取装置を提供する。【解決手段】昇降テープ巻取装置２００は、スラット１３０を昇降可能とする昇降テープ１２０を巻き取り及び巻き解く昇降テープ巻取装置２００において、昇降テープ１２０を略円形に巻き取る昇降テープ巻取面２１０の一部である第一巻取面２１２ａ、２１４ａを構成する第一巻取面構成部２１２、２１４と、昇降テープ巻取面２１０の他の一部である第二巻取面２１６ａを構成する第二巻取面構成部２１６と、第一巻取面構成部２１２、２１４と第二巻取面構成部２１６との間に設けられ、昇降テープ１２０の端部を保持する保持部２２０と、を備えたことを特徴とする。かかる構成によれば、昇降テープ１２０を均等に昇降テープ巻取面２１０に巻取ることが可能である。【選択図】図２
2018184775.tif 000002
【特許請求の範囲】
【請求項１】
遮蔽材を昇降可能とする昇降テープを巻き取り及び巻き解く昇降テープ巻取装置において、
前記昇降テープを略円形に巻き取る昇降テープ巻取面の一部である第一巻取面を構成する第一巻取面構成部と、
前記昇降テープ巻取面の他の一部である第二巻取面を構成する第二巻取面構成部と、
前記第一巻取面構成部と前記第二巻取面構成部との間に設けられ、前記昇降テープの端部を保持する保持部と、
を備えたことを特徴とする、昇降テープ巻取装置。
【請求項２】
前記昇降テープ巻取面の両側には、前記昇降テープ巻取面に巻取られた前記昇降テープの横ずれを防止する横ずれ防止部が設けられることを特徴とする、請求項１に記載の昇降テープ巻取装置。
【請求項３】
前記昇降テープの端部が着脱自在に連結される係止具をさらに備え、
前記係止具の一端部が前記保持部内に保持されて移動が規制されることを特徴とする、請求項１又は２に記載の昇降テープ巻取装置。
【請求項４】
前記昇降テープの端部が着脱自在に連結される係止具をさらに備え、
前記横ずれ防止部には、前記保持部に連通する挿入溝が形成され、
前記係止具は、前記挿入溝に沿って前記保持部内に挿入されて移動が規制されることを特徴とする、請求項２に記載の昇降テープ巻取装置。
【請求項５】
前記係止具の他端部は前記昇降テープ巻取面の外側に位置し、
前記係止具は、前記昇降テープ巻取面に巻取られた前記昇降テープが干渉しない形状であることを特徴とする、請求項３又は４に記載の昇降テープ巻取装置。
【発明の詳細な説明】
【技術分野】
【０００１】
本発明はブラインドの昇降テープ巻取装置に関する。
【背景技術】
【０００２】
従来の昇降テープ巻取装置としては、特許第５０９４２４５号公報（特許文献１）に示されるものがある。特許文献１に開示される昇降テープ巻取装置は、昇降テープの巻取面を形成する円弧状の外周面を有する主軸と一対の補助軸とで構成されるドラムと、昇降テープの上端を連結する止めピンとで構成される。すなわち、昇降テープ上端のループ部を止めピンに連結し、止めピンに連結した昇降テープを主軸と補助軸の間で巻取るようにし、昇降テープを補助軸を経由して補助軸と主軸との間に形成される空間を通した後、主軸に巻取るように配回すことで、昇降テープのループ形成する接合部が、補助軸と主軸との間の空間に位置するようにしたものである。
【０００３】
かかる昇降テープ巻取装置では、補助軸間で止めピンに保持した昇降テープ上端部に設けた袋状部を、一方の補助軸から補助軸間の空間を引き回した後に、主軸に巻き取るようにして接合部を空間内に位置させる。よって、軸部の巻取り面上には位置させないようにすることができ、昇降テープの接合部に起因する日射遮蔽材の片上がりを防止できるという効果を有する。
【先行技術文献】
【特許文献】
【０００４】
【特許文献１】特許第５０９４２４５号公報
【発明の概要】
【発明が解決しようとする課題】
【０００５】
しかしながら、上記従来の昇降テープ巻取装置では、円弧状の外周面を有する主軸と一対の補助軸の外周を結ぶ面で昇降テープの巻取面を構成するため、主軸部分は昇降テープを円弧状に巻き取ることができるが、主軸の一方の端部から一対の補助軸を経て主軸の他方の端部までの部分は、昇降テープが円弧状ではなく、いびつな形状で巻き取られてしまう。このように、昇降テープを円形に巻き取ることができないため、昇降テープを均等に巻取面に巻取ることができないという課題があった。
【０００６】
そこで本発明は、このような問題に鑑みてなされたもので、その目的とするところは、昇降テープの変形を防止しつつ均等に巻取面に巻取ることが可能な昇降テープ巻取装置を提供することにある。
【課題を解決するための手段】
【０００７】
上記課題を解決するために、本発明によれば、遮蔽材を昇降可能とする昇降テープを巻き取り及び巻き解く昇降テープ巻取装置において、前記昇降テープを略円形に巻き取る昇降テープ巻取面の一部である第一巻取面を構成する第一巻取面構成部と、前記昇降テープ巻取面の他の一部である第二巻取面を構成する第二巻取面構成部と、前記第一巻取面構成部と前記第二巻取面構成部との間に設けられ、前記昇降テープの端部を保持する保持部と、を備えたことを特徴とする、昇降テープ巻取装置が提供される。
【０００８】
かかる構成によれば、保持部は、第一巻取面と第二巻取面によって形成される円周面の内側に形成されるため、昇降テープ巻取時に、巻取られた昇降テープと干渉することを防ぐことができる。また、２つの巻取面が同一円周上に形成されるため、昇降テープを均等に昇降テープ巻取面に巻取ることができるようになる。
【０００９】
本発明は様々な応用が可能である。以下の応用例は適宜組み合わせることが可能である。
例えば、前記昇降テープ巻取面の両側には、前記昇降テープ巻取面に巻取られた前記昇降テープの横ずれを防止する横ずれ防止部が設けられるようにしてもよい。かかる構成によれば、昇降テープの横ずれを防止して、ブラインドの動作不良を防止することができる。
【００１０】
また、前記昇降テープの端部が着脱自在に連結される係止具をさらに備え、前記係止具の一端部が前記保持部内に保持されて移動が規制されるようにしてもよい。かかる構成によれば、昇降テープの端部を係止具を利用して保持部内に保持される構造とすることで、昇降テープの長さ調整や固定が容易となる。
【００１１】
また、前記昇降テープの端部が着脱自在に連結される係止具をさらに備え、前記横ずれ防止部には、前記保持部に連通する挿入溝が形成され、前記係止具は、前記挿入溝に沿って前記保持部内に挿入されて移動が規制されるようにしてもよい。かかる構成によれば、横ずれ防止部には保持部に連通する挿入溝を形成することで、昇降テープ端部を保持部まで案内することができ、挿入溝によって昇降テープ端部の位置決めができる。
【００１２】
また、前記係止具の他端部は前記昇降テープ巻取面の外側に位置し、前記係止具は、前記昇降テープ巻取面に巻取られた前記昇降テープが干渉しない形状とすることができる。この形状は、例えば、凹形状とすることができる。かかる構成によれば、係止具の他端部は巻取面の外側に位置するために手や治具が届きやすくなり、昇降テープの交換等のメンテナンス時に係止具を保持部から外すことが容易となる。また、係止具の他端を凹形状とすることで、昇降テープ巻取面に昇降テープを巻き取る際に係止具が干渉することがない。
【発明の効果】
【００１３】
本発明によれば、昇降テープの変形を防止しつつ均等に巻取面に巻取ることが可能な昇降テープ巻取装置が提供される。本発明のその他の効果については、後述する発明を実施するための形態においても説明する。
【図面の簡単な説明】
【００１４】
【図１】第１の実施形態に係るブラインドの全体構成を説明するための正面図である。
【図２】図１のＡ−Ａ断面図である。
【図３】昇降ドラムを説明するための図であり、（ａ）はドラム本体の側面図であり、（ｂ）は昇降テープ巻取面の部分を抜き出した図である。
【図４】昇降ドラムの分解斜視図である。
【図５】昇降ドラムの斜視図である。
【図６】昇降ドラムへの昇降テープの連結の手順を説明するための図であり、（ａ）は係止具を挿入溝に挿入する直前の状態を示す図であり、（ｂ）は係止具を挿入溝に挿入した状態を示す図である。
【図７】昇降ドラムへの昇降テープの連結の手順を説明するための図であり、係止具を保持部に保持させた状態を示す図である。
【図８】昇降ドラムに昇降テープを巻き取る動作を説明するための図であり、（ａ）は昇降テープを巻き取っていない状態を示す図であり、（ｂ）は昇降テープを巻き取っている状態を示す図である。
【図９】昇降ドラムに昇降テープを巻き取っている状態を示す断面図である。
【図１０】第２の実施形態に係る昇降ドラムを説明するための図である。
【発明を実施するための形態】
【００１５】
以下に添付図面を参照しながら、本発明の好適な実施形態について詳細に説明する。なお、本明細書及び図面において、実質的に同一の機能構成を有する構成要素については、同一の符号を付することにより重複説明を省略する。
【００１６】
（第１の実施形態）
本発明の第１の実施形態について説明する。まず、本実施形態の昇降ドラム（昇降テープ巻取装置）２００が用いられたブラインド１００の全体構成について、図１及び図２を参照しながら説明する。図１は、実施形態に係るブラインド１００の全体構成を説明するための正面図であり、図２は、図１のＡ−Ａ断面図である。
【００１７】
本実施形態のブラインド１００は、ヘッドボックス１１０と、ヘッドボックス１１０から垂下する昇降テープ１２０と、昇降テープ１２０によって昇降する複数のスラット（遮蔽材）１３０と、複数のスラット１３０を整列状態に支持するラダーコード１４０と、複数のスラット１３０列の下方に設けられ、昇降テープ１２０の下端とラダーコード１４０の下端とが連結されるボトムレール１５０と、を備える。以下、各部の構成について詳細に説明する。
【００１８】
（ヘッドボックス１１０）
ヘッドボックス１１０は、窓枠や天井等の開口部に図示していないブラケットを介して固定されている。ヘッドボックス１１０内には、図１に示したように、ヘッドボックス１１０の長手方向に延びる回転軸１１１が回転可能に支持されている。ヘッドボックス１１０には長手方向３か所に昇降ドラム２００及び回転ドラム１１２が配設されている。回転軸１１１は各昇降ドラム２００及び回転ドラム１１２を貫通しており、各昇降ドラム２００及び回転ドラム１１２と一体に回転する。
【００１９】
昇降ドラム２００は、後述するように、図２に示したように、昇降テープ１２０の上端が連結されている。昇降ドラム２００は、昇降テープ１２０を巻取り及び巻き解き、スラット１３０を昇降させる。また、回転ドラム１１２には、ラダーコード１４０の上端が連結されている。回転ドラム１１２は、所定角度分の回転によってラダーコード１４０の上端を巻取り及び巻解くことによりラダーコード１４０を傾動させて、スラット１３０を回転させる。
【００２０】
また、ヘッドボックス１１０には、図２に示したように、ドラム受け１１３が固定されている。ドラム受け１１３は、昇降ドラム２００及び回転ドラム１１２を収納し、回転軸１１１を回転可能に支持する。ドラム受け１１３の底部には、昇降テープ１２０及びラダーコード１４０が挿通する複数の挿通孔１１３ａが形成されており、挿通孔１１３ａには昇降テープ１２０の移動を案内するガイドローラ１１４が設けられている。
【００２１】
さらに、ヘッドボックス１１０には、図１に示したように、回転軸１１１を回転駆動するモータ１１５と、モータ１１５の駆動を制御する制御ユニット１１６と、モータ１１５に電力を供給する電源ユニット１１７及び電源トランス１１８と、が設けられている。
【００２２】
（昇降テープ１２０）
昇降テープ１２０は、スラット１３０を昇降するものである。昇降テープ１２０は、図２に示したように、上端が後述する昇降ドラム２００に巻取り及び巻解き可能に連結されている。昇降テープ１２０の下端はガイドローラ１１４に案内されて、ドラム受け１１３の挿通孔１１３ａを挿通してヘッドボックス１１０から垂下し、複数のスラット１３０を挿通してボトムレール１５０に連結される。
【００２３】
（スラット１３０）
スラット１３０は、ヘッドボックス１１０の下方の空間を遮蔽する遮蔽材である。スラット１３０は、図１に示したように、ヘッドボックス１１０の下方に複数枚配置されている。複数のスラット１３０は、図２に示したように、ラダーコード１４０に整列状態に支持されており、ラダーコード１４０の傾動に従って回転する。また、複数のスラット１３０には昇降テープ１２０が挿通しており、昇降テープ１２０の昇降に従って昇降する。
【００２４】
（ラダーコード１４０）
ラダーコード１４０は、複数のスラット１３０を整列状態に支持するものである。ラダーコード１４０の上端は、前述のように、回転ドラム１１２に所定量巻取り及び巻解き可能に連結されており、下端が後述するボトムレール１５０に連結されている。ラダーコード１４０は、回転ドラム１１２に巻き取り及び巻き解かれることにより傾動して、ラダーコード１４０に支持されている複数のスラット１３０が回転する。
【００２５】
（ボトムレール１５０）
ボトムレール１５０は、昇降テープ１２０及びラダーコード１４０の下端が連結されるものである。ボトムレール１５０は、図１に示したように、スラット１３０の下端に配置される。ボトムレール１５０は、昇降テープ１２０の昇降に従って昇降し、スラット１３０を昇降する。また、ボトムレール１５０は、ラダーコード１４０の傾動に従ってスラット１３０ともに回転する。
【００２６】
以上、ブラインド１００の全体構成について説明した。次に、本実施形態の特徴的な構成要素である昇降ドラム２００の詳細について、図３〜図５を参照しながら説明する。図３は、昇降ドラムを説明するための図であり、（ａ）はドラム本体の側面図であり、（ｂ）は昇降テープ巻取面の部分を抜き出した図である。図４は、昇降ドラムの分解斜視図である。図５は、昇降ドラムの斜視図である。
【００２７】
（昇降ドラム２００）
昇降ドラム２００は、昇降テープ１２０を巻取ることによってスラット１３０を昇降可能とする昇降テープ巻取装置である。昇降ドラム２００は、図３に示したように、昇降テープ１２０を略円形に巻き取る昇降テープ巻取面２１０を備える。
【００２８】
また、昇降ドラム２００は、図４及び図５に示したように、昇降テープ巻取面２１０の両側に、昇降テープ巻取面２１０に巻取られた昇降テープ１２０の横ずれを防止する円板部（横ずれ防止部）２３０、２３２と、昇降テープ１２０の端部が着脱自在に連結される係止具２４０と、をさらに備えている。昇降ドラム２００は、昇降テープ巻取面２１０と円板部２３０とを備えたドラム本体ＤＢ、円板部２３２を備えた巻取ドラム本体に連結されるドラム片ＤＰ、及び係止具２４０の３つの部材から構成される。以下、各部の構成について説明する。
【００２９】
（昇降テープ巻取面２１０）
昇降テープ巻取面２１０は、昇降テープ１２０を略円形に巻き取る部分である。昇降テープ巻取面２１０は、図３（ａ）に示したように、昇降テープ巻取面２１０の一部である第一巻取面２１２ａ、２１４ａを構成する第一巻取面構成部２１２、２１４と、昇降テープ巻取面２１０の他の一部である第二巻取面２１６ａを構成する第二巻取面構成部２１６と、第一巻取面構成部２１２、２１４と第二巻取面構成部２１６との間に設けられ、昇降テープ１２０の端部を保持する保持部２２０と、を備えて構成されている。
【００３０】
（第一巻取面構成部２１２、２１４）
第一巻取面構成部２１２、２１４は、昇降テープ巻取面２１０の一部である第一巻取面２１２ａ、２１４ａを構成するものである。第一巻取面構成部２１２、２１４は、図３（ｂ）に示したように、昇降テープ巻取面２１０の中心を通る水平線に対して対称位置に配置されている一対のものである。第一巻取面構成部２１２、２１４は、扇形をしており、内周面は平面部２１２ｂ、２１４ｂと凹面部２１２ｃ、２１４ｃとを備える。第一巻取面構成部２１２、２１４には、図４に示したように、後述する円板部２３２に嵌合する嵌合突起２１２ｄ、２１４ｄが円周方向２か所から軸方向に突出している。
【００３１】
（第二巻取面構成部２１６）
第二巻取面構成部２１６は、昇降テープ巻取面２１０の他の一部である第二巻取面２１６ａを構成するものである。第二巻取面構成部２１６は、図３（ｂ）に示したように、昇降テープ巻取面２１０と同心になるように第一巻取面構成部２１２、２１４の間に配置されている。第二巻取面構成部２１６の第一巻取面構成部２１２、２１４と対向する面は平面部２１６ｂであり、両端部が第二巻取面２１６ａとなっている。第二巻取面構成部２１６には、図４に示したように、中心に対して対称位置に後述する円板部２３２と係合する係合穴２１６ｃが形成されている。
【００３２】
（保持部２２０）
保持部２２０は、昇降テープ１２０の端部を保持する部分である。保持部２２０は、図３（ａ）に示したように、第一巻取面構成部２１２、２１４と第二巻取面構成部２１６の対向する間の空間によって構成される。よって、保持部２２０は第一巻取面構成部２１２、２１４の平面部２１２ｂ、２１４ｂと第二巻取面構成部２１６の平面部２１６ｂとで構成される直線状の部分と、第一巻取面構成部２１２、２１４の凹面部２１２ｃ、２１４ｃと第二巻取面構成部２１６の平面部２１６ｂとで構成される円弧状に膨らんだ部分とで構成される。
【００３３】
（円板部２３０、２３２）
円板部２３０、２３２は、昇降テープ巻取面２１０に巻取られた昇降テープ１２０の横ずれを防止する横ずれ防止部である。円板部２３０、２３２は、図４及び図５に示したように、昇降テープ巻取面２１０の両側に設けられる。円板部２３０、２３２は、昇降テープ巻取面２１０と同心であり、昇降テープ巻取面２１０よりも大径である。好ましくは、円板部２３０、２３２は、昇降テープ巻取面２１０に全長が巻き取られた昇降テープ１２０の径よりも大径であることが望ましい。
【００３４】
また、一方の円板部２３０は、図４に示したように、昇降テープ巻取面２１０の一方の側部に一体に設けられ、他方の円板部２３２は、ドラム片ＤＰがドラム本体ＤＢに取り付けられることによって、昇降テープ巻取面２１０の他方の側部に取付けられる。ドラム片ＤＰには、第一巻取面構成部２１２、２１４の嵌合突起２１２ｄ、２１４ｄが嵌合する嵌合孔２３２ａが対象箇所に４つ設けられている。また、他方の円板部２３２には、第二巻取面構成部２１６の係合穴２１６ｃに係合する係合突起２３２ｂが２つの対象箇所から軸方向に突出して設けられている。
【００３５】
円板部２３０、２３２には、図３（ａ）及び図４に示したように、端部から保持部２２０に連通する挿入溝２３０ｃ、２３２ｃが形成されている。挿入溝２３０ｃ、２３２ｃの幅は、第一巻取面構成部２１２、２１４の平面部２１２ｂ、２１４ｂと第二巻取面構成部２１６の平面部２１６ｂの間隔と同じである。挿入溝の端部２３０ｄ、２３２ｄは、第一巻取面構成部２１２の凹面部２１２ｃ、２１４ｃを通過して端部まで延びている。挿入溝の端部２３０ｄ、２３２ｄが後述する係止具２４０の移動を規制する。このように、挿入溝２３０ｃ及び２３２ｃが２つ設けられることにより、同一のヘッドボックス１１０内に配置が左右逆の昇降ドラム２００が混在しても、同じ位置の挿入溝２３０ｃ及び２３２ｃに昇降テープ１２０を取り付けることができる。また、昇降テープ１２０の長さに応じて位置の異なる挿入溝２３０ｃ及び２３２ｃを選択的に決定することもできる。
【００３６】
（係止具２４０）
係止具２４０は、昇降テープ１２０の端部が着脱自在に連結されるものである。係止具２４０は、図５に示したように、互いに平行な長尺状の２本の脚部２４１、２４２と、２本の脚部２４１を長手方向の２か所において連結する互いに平行な２本の連結部２４３、２４４と、２本の連結部２４３、２４４間に形成される中空部２４５と、２本の脚部２４１、２４２と、連結部２４４とから形成される凹部２４６と、２本の脚部２４１、２４２の端部付近に形成される鉤部２４１ａ、２４２ａと、から構成される。
【００３７】
２本の脚部２４１、２４２の間隔は、挿入溝２３０ｃ、２３２ｃの間隔とほぼ同じである。よって、係止具２４０は、２本の脚部２４１、２４２を挿入溝２３０ｃ、２３２ｃに沿って滑らせるだけで保持部２２０に挿入させることができる。また、脚部２４１、２４２の幅は挿入溝２３０ｃ、２３２ｃの深さとほぼ同じであるため、脚部２４１、２４２が円板部２３０、２３２から突出して、昇降テープ１２０の巻取に干渉することがない。
【００３８】
連結部２４３、２４４の長さは昇降テープ１２０の幅とほぼ同じか僅かに広い長さである。昇降テープ１２０は、２本の連結部２４３、２４４と中空部２４５との間を通しながら巻き付けることによって係止具２４０に連結される。凹部２４６は、昇降テープ巻取面２１０とほぼ同じ幅であり、昇降テープ１２０を内部に収容することができる。
【００３９】
係止具２４０を保持部２２０内に保持させた際に、係止具２４０の一端部である連結部２４３、２４４は保持部２２０内に保持されるが、２本の脚部２４１、２４２の他端部及び凹部２４６の一部は昇降テープ巻取面２１０の外側に位置する。このとき、昇降テープ巻取面２１０に昇降テープ１２０を巻き取っても、凹部２４６によって昇降テープ巻取面２１０に巻取られた昇降テープ１２０が係止具２４０に干渉することがない。また、昇降テープ１２０が昇降テープ巻取面２１０に巻取られていない状態で、昇降テープ巻取面２１０の外側に位置する脚部２４１、２４２をもって引き出すか、あるいは各脚部２４１、２４２の先端付近に形成される鉤部２４１ａ、２４２ａに指を引掛けて引き出すことにより、係止具２４０を保持部２２０から容易に引き出すことができる。
【００４０】
以上、昇降ドラム２００の構成について説明した。次に、昇降ドラム２００への昇降テープ１２０の連結の手順を、図６及び図７を参照しながら説明する。図６は、昇降ドラム２００への昇降テープ１２０の連結の手順を説明するための図であり、（ａ）は係止具２４０を挿入溝２３０ｃ、２３２ｃに挿入する直前の状態を示す図であり、（ｂ）は係止具２４０を挿入溝２３０ｃ、２３２ｃに挿入した状態を示す図である。図７も、昇降ドラム２００への昇降テープ１２０の連結の手順を説明するための図であり、係止具２４０を保持部に保持させた状態を示す図である。なお、図６及び図７は、一方の円板部２３０側の構成しか示されないが、他方の円板部２３２側も同様である。
【００４１】
まず、図６（ａ）に示したように、昇降テープ１２０の一端を挿入溝２３０ｃ側から保持部２２０内を通過させて第一巻取面構成部２１２と第二巻取面構成部２１６の間から第二巻取面２１６ａ上に導出させる。一方、昇降テープ１２０の他端を係止具２４０に連結し、矢印Ａに示したように、挿入溝２３０ｃに挿入する。
【００４２】
次に、図６（ｂ）の矢印Ｂに示したように、係止具２４０を挿入溝２３０ｃに沿って保持部２２０方向に移動させる。
【００４３】
そして、図７に示したように、係止具２４０の先端が挿入溝の端部２３０ｄに当接するまで保持部２２０内に移動させる。よって、係止具２４０の移動が規制されて係止具２４０が保持部２２０に保持される。係止具２４０は、昇降テープ１２０の張力により、挿入溝の端部２３０ｄに押し付けられるため、係止具２４０が保持部２２０から不用意に抜け出ることはない。また、仮に、係止具２４０に巻き付けて連結された昇降テープ１２０の厚みが厚くなっても、第一巻取面構成部２１２の凹面部２１２ｃ側に挿入されて吸収される。
【００４４】
係止具２４０を保持部２２０から取り出したい場合は、昇降テープ１２０が昇降テープ巻取面２１０に巻取られていない状態で、昇降テープ巻取面２１０の外側に位置する脚部２４１をもって引き出すか、あるいは各脚部２４１の先端付近に形成される鉤部２４１ａに指を引掛けて引き出す。これにより、係止具２４０を保持部２２０から容易に引き出すことができる。
【００４５】
以上、昇降ドラム２００への昇降テープ１２０の連結の手順について説明した。次に、昇降ドラム２００の動作について、図８及び図９を参照しながら説明する。図８は、昇降ドラムに昇降テープを巻き取る動作を説明するための図であり、（ａ）は昇降テープを巻き取っていない状態を示す図であり、（ｂ）は昇降テープを巻き取っている状態を示す図である。図９は、昇降ドラムに昇降テープを巻き取っている状態を示す断面図である。
【００４６】
昇降ドラム２００に昇降テープ１２０を巻き取っていないときは、図８（ａ）に示したように、昇降テープ巻取面２１０には、昇降テープ１２０は巻き取られておらず、保持部２２０に保持された係止具２４０が外部から見える状態である。
【００４７】
次に、昇降ドラム２００に昇降テープ１２０を巻き取ると、図８（ｂ）に示したように、昇降テープ巻取面２１０に昇降テープ１２０が巻き取られる。昇降テープ１２０の端部が連結された係止具２４０の連結部２４３、２４４は、図９に示したように、保持部２２０に収容されており、昇降テープ巻取面２１０の外側に位置する脚部２４１は、挿入溝２３０ｃ内に収容されているため、昇降テープ１２０は、係止具２４０の凹部２４６を通過する。よって、昇降テープ１２０の巻き取りに係止具２４０が干渉することはなく、昇降テープ１２０は昇降テープ巻取面２１０に均等に巻き取られていく。
【００４８】
（第１の実施形態の効果）
以上説明したように、本実施形態によれば、保持部２２０は、第一巻取面２１２ａ、２１４ａと第二巻取面２１６ａによって形成される円周面の内側に形成されるため、昇降テープ巻取時に、巻取られた昇降テープ１２０と干渉せず、昇降テープ１２０が変形することを防ぐことができる。また、２つの巻取面２１２ａ、２１４ａ、２１６ａが同一円周上に形成されるため、昇降テープ１２０を均等に昇降テープ巻取面２１０に巻取ることができるようになる。
【００４９】
また、昇降テープ巻取面２１０の両側に円板部２３０、２３２を設けたことにより、昇降テープ１２０の横ずれを防止して、ブラインドの動作不良を防止することができる。
【００５０】
また、昇降テープ１２０の端部を係止具２４０を利用して昇降ドラムに連結する構造とすることで、昇降テープ１２０の長さ調整や固定が容易となる。
【００５１】
また、円板部２３０、２３２には保持部２２０に連通する挿入溝２３０ｃ、２３２ｃを形成することで、昇降テープ１２０の端部を保持部２２０まで案内することができ、挿入溝２３０ｃ、２３２ｃによって昇降テープ１２０の端部の位置決めができる。
【００５２】
また、係止具２４０の他端部は昇降テープ巻取面２１０の外側に位置するため、手や治具が係止具２４０に届きやすくなり、昇降テープ１２０の交換等のメンテナンス時に係止具２４０を保持部２２０から外すことが容易となる。また、係止具２４０の他端を凹形状とすることで、昇降テープ巻取面２１０に昇降テープ１２０を巻き取る際に係止具２４０が干渉することがない。
【００５３】
（第２の実施形態）
本発明の第２の実施形態について、図１０を参照しながら説明する。本実施形態の昇降ドラム３００は、昇降テープ巻取面３１０を構成する第一巻取面構成部３１２、３１４及び保持部３２０の形状が第１の実施形態の第一巻取面構成部２１２、２１４及び保持部２２０の形状と相違するものである。その他の点については、上記第１の実施形態と同様であるため、重複説明を省略する。
【００５４】
（第一巻取面構成部３１２、３１４）
第一巻取面構成部３１２、３１４は、第１の実施形態の第一巻取面構成部３１２、３１４と同様に昇降テープ巻取面３１０の一部である第一巻取面３１２ａ、３１４ａを構成するものである。第一巻取面構成部３１２、３１４は、第１の実施形態の第一巻取面構成部２１２、２１４とは異なり、図１０に示したように、内周面が平面部３１２ｂ、３１４ｂのみで構成されている。また、第一巻取面構成部３１２、３１４の内部はヒケを防止するために中空に形成されている。
【００５５】
円板部３３０に形成される挿入溝３３０ｃは、第一の実施形態の挿入溝２３０ｃとは異なり、図１０に示したように、第一巻取面構成部３１２、３１４の平面部３１２ｂ、３１４ｂと第二巻取面構成部３１６の平面部３１６ｂの間隔と同じ間隔であり、これらに沿って形成される。
【００５６】
（保持部３２０）
保持部３２０は、第１の実施形態の保持部２２０とは異なり、図１０に示したように、第一巻取面構成部３１２、３１４の平面部３１２ｂ、３１４ｂと第二巻取面構成部３１６の平面部３１６ｂとで構成される直線状の部分で構成される。よって、保持部３２０は、挿入溝３３０ｃに沿った形状になる。
【００５７】
以上、本実施形態の第１の実施形態と相違する構成について説明した。本実施形態では、保持部３２０へ昇降テープ１２０の端部を保持させる方法は、第１の実施形態と同様である。しかし、保持部３２０の形状が第１の実施形態の保持部２２０とは相違するため、図１０に示したように、昇降テープ１２０の端部が連結された係止具２４０は、挿入溝３３０ｃと同じ幅の保持部３２０に保持される。このため、係止具２４０に連結された昇降テープ１２０の上面は、第一巻取面構成部３１２、３１４の平面部３１２ｂ、３１４ｂに当接して保持されることになる。
【００５８】
（第２の実施形態の効果）
以上説明したように、本実施形態によれば、第一巻取面構成部３１２、３１４の内周面を平面部３１２ｂ、３１４ｂとしたことにより、保持部３２０が挿入溝３３０ｃに沿った直線状の形状であり、凹凸が無い。このため、係止具２４０を保持部３２０に挿入したり、保持部３２０から取り出したりするときに、係止具２４０が保持部３２０に引っかかったりすることがない。
【００５９】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【００６０】
例えば、上記実施形態では、昇降テープ巻取面２１０の両側には、昇降テープ巻取面２１０に巻取られた昇降テープ１２０の横ずれを防止する円板部（横ずれ防止部）２３０、２３２を設けたが、本発明はこの例に限定されない。横ずれ防止部は必ずしも設けなくてもよく、また、昇降テープ巻取面２１０の片側にのみ設けてもよい。
【００６１】
また、上記実施形態では、横ずれ防止部を円板部２３０、２３２としたが、本発明はこの例に限定されない。横ずれ防止部は必ずしも円板部のような形状にしなくてもよい。例えば、昇降テープ巻取面２１０の両側又は片側から放射状に一本又は複数本の棒状や板状の部材が突出するような形状でもよい。
【００６２】
また、上記実施形態では、保持部の形状を凹面部を含んだ形状にしたり、直線状の部分のみの形状にしたりしたが、本発明はこの例に限定されず、保持部は任意の形状にしてもよい。
【００６３】
また、上記実施形態では、昇降テープ１２０の端部が着脱自在に連結される係止具２４０をさらに備え、係止具２４０の一端部が保持部２２０内に保持される構成としたが、本発明はこの例に限定されない。昇降テープの端部は、必ずしも着脱自在に係止具に連結しなくてもよい。例えば、昇降テープの端部を係止具に固着してもよく、また、昇降テープの端部自体を保持部内に保持させるように加工してもよい。
【００６４】
また、上記実施形態では、円板部２３０、２３２には、保持部２２０に連通する挿入溝２３０ｃ、２３２ｃが形成され、係止具２４０は、挿入溝２３０ｃ、２３２ｃに沿って保持部２２０内に挿入されて移動が規制される構成としたが、本発明はこの例に限定されない。円板部には挿入溝を必ずしも形成する必要はない。例えば、係止具を弾性変形するものとし、係止具を弾性変形させて保持部内に挿入して保持させてもよい。また、保持部を例えば、係止具２４０が挿入される側の巻取面の径方向の開口を大きく、昇降テープが導出される側の巻取面の径方向の開口を小さくするなど、保持部の径方向の大きさが変えられた形状とすることによって、昇降テープの端部を保持する構成としてもよい。
【００６５】
また、上記実施形態では、係止具２４０の他端部は昇降テープ巻取面２１０の外側に位置し、係止具２４０は、昇降テープ巻取面２１０に巻取られた昇降テープ１２０が干渉しない凹形状としたが、本発明はこの例に限定されない。昇降テープ巻取面に巻取られた昇降テープが干渉しない形状であれば、必ずしも凹形状でなくてもよい。
【００６６】
上記実施形態、応用例、変形例は、任意に組み合わせて実施することができる。
【符号の説明】
【００６７】
１００  ブラインド
１１０  ヘッドボックス
１１１  回転軸
１１２  回転ドラム
１１３  ドラム受け
１１３ａ  挿通孔
１１４  ガイドローラ
１１５  モータ
１１６  制御ユニット
１１７  電源ユニット
１１８  電源トランス
１２０  昇降テープ
１３０  スラット（遮蔽材）
１４０  ラダーコード
１５０  ボトムレール
２００  昇降ドラム
２１０、３１０  昇降テープ巻取面
２１２、２１４、３１２、３１４  第一巻取面構成部
２１２ａ、２１４ａ  第一巻取面
２１２ｂ、２１４ｂ、３１２ｂ、３１４ｂ  平面部
２１２ｃ、２１４ｃ  凹面部
２１２ｄ、２１４ｄ  嵌合突起
２１６、３１６  第二巻取面構成部
２１６ａ  第二巻取面
２１６ｂ、３１６ｂ  平面部
２１６ｃ  係合穴
２２０、３２０  保持部
２３０、２３２、３３０  円板部（横ずれ防止部）
２３２ａ  嵌合孔
２３２ｂ  係合突起
２３０ｃ、２３２ｃ、３３０ｃ  挿入溝
２３０ｄ、２３２ｄ  挿入溝の端部
２４０  係止具
２４１、２４２  脚部
２４３、２４４  連結部
２４５  中空部
２４６  凹部
ＤＢ  ドラム本体
ＤＰ  ドラム片
【図１】
2018184775.tif 000003
【図２】
2018184775.tif 000004
【図３】
2018184775.tif 000005
【図４】
2018184775.tif 000006
【図５】
2018184775.tif 000007
【図６】
2018184775.tif 000008
【図７】
2018184775.tif 000009
【図８】
2018184775.tif 000010
【図９】
2018184775.tif 000011
【図１０】
2018184775.tif 000012